(57)【要約】      （修正有）【課題】複数の端末装置と複数の携帯端末装置が近距離に存在するような状況でも、端末装置からペアリングを行うべき携帯端末装置の発見を容易にする端末連携システムを提供する。【解決手段】端末装置１０は複数の携帯端末装置２０に検索要求を送信し、各携帯端末装置２０は現在の各種センサの状態を携帯端末装置名の情報に含めて端末装置１０に送信する。端末装置１０は携帯端末情報とセンサ情報を表示し、利用者は表示された情報に基づきペアリングを行うべき携帯端末装置２０を選択する。ペアリングされた端末装置１０と携帯端末装置２０は共有鍵を共有し、携帯端末装置２０は端末装置１０のＯＳに共有鍵を使ってログインを実行する。【選択図】図１
2013214257.tif 000002
【特許請求の範囲】
【請求項１】
ペアを確立可能な組み合わせが複数の，端末装置と携帯端末装置の中から一組の端末装置と携帯端末装置のペアを確立し，確立したペアの端末装置と携帯端末装置の間でデータを送受信するための端末連携方法であって，
端末装置と携帯端末装置は，
共有鍵を共有するペアリングを行い，
該共有鍵を使って，端末装置のＯＳへのログインを実行し，その後，端末装置と携帯端末装置の接続の切断と，端末装置のＯＳのログアウト処理と，を行い，
一度以上ペアリングを行った一組の端末装置と携帯端末装置の間で再接続を行い，
一度ペアリングを行った実績のある端末装置と携帯端末装置の間でデータを送受信する場合には，前記ペアリングで共有した共有鍵を使って，その後，端末装置と携帯端末装置の接続と，端末装置のＯＳのログアウト処理と，を行い，
一度ペアリングを行った実績のある端末装置と携帯端末装置の実績を消去する場合には，共有鍵の破棄を行う
ことを特徴とする端末連携方法。
【請求項２】
請求項１に記載の端末連携方法であって，
前記ペアリングにおいて，
第１の端末装置は，検索要求を複数の携帯端末装置に送信し，
検索要求を受け取った各々の携帯端末装置は，
センサ情報取得処理を行い，
自携帯端末情報と前記センサ情報を前記第１の端末装置に送信し，
前記第１の端末装置は，
複数の携帯端末装置の携帯端末情報とセンサ情報を表示し，
利用者による，表示された情報に基づく，携帯端末装置の選択処理を受け付け，
選択処理が行われない場合には，前述の携帯端末装置検索処理に戻り，
選択処理が行われた場合には，選択された携帯端末装置とのペアリングを実行し，
選択された前記携帯端末装置に対して，ペアリング要求を送信し，
選択された前記携帯端末装置は，
受信した前記ペアリング要求に基づくペアリングを実行し，
生成したペアリング情報を，自携帯端末装置に保存し，
前記第１の端末装置に対して，生成した前記ペアリング情報を返信し，
前記第１の端末装置は，
送信されたペアリング情報を保存し，
前記第１の端末装置と選択された前記携帯端末装置とは，データ送受信を行う
ことを特徴とする端末連携方法。
【請求項３】
請求項２に記載の端末連携方法であって，
前記センサ情報が振動を表す情報であれば，前記第１の端末装置の表示部は，前記センサ情報を表示する際に，前記携帯端末装置アイコンを振動させて表示する
ことを特徴とする端末連携方法。
【請求項４】
請求項２または請求項３に記載の端末連携方法であって，
一度以上ペアリングを行った前記第１の端末装置と前記携帯端末装置の間での再接続処理において，
前記第１の端末装置は，センサ要求情報を表示し，
前記携帯端末装置は，
前記第１の端末装置に表示されたセンサ要求情報に従った，利用者の操作に基づくセンサ情報を取得し，
自携帯端末情報と前記センサ情報を前記第１の端末装置に送信し，
前記第１の端末装置は，
前記表示したセンサ要求情報と，前記携帯端末装置から受信したセンサ情報とを比較し，
比較の結果一致しない場合には，前記センサ要求情報表示処理から繰り返し，
比較の結果一致した場合には，保存しているペアリング情報を取得し，接続先を前記携帯端末装置と決定し，
接続要求を前記携帯端末装置に送信し，
前記携帯端末装置は，
保存しているペアリング情報を取得し，
接続応答を前記第１の端末装置に送信し，
前記第１の端末装置と前記携帯端末装置とは，データ送受信を行う
ことを特徴とする端末連携方法。
【請求項５】
請求項４に記載の端末連携方法であって，
端末装置に表示されるセンサ要求情報は，携帯端末装置の動作を指示する情報である
ことを特徴とする端末連携方法。
【請求項６】
請求項１から請求項５のいずれか一に記載の端末連携方法であって，
携帯端末装置から端末装置に送信される端末情報とセンサ情報は，文字列としての端末情報と文字列としてのセンサ情報が，区切りを表わす文字列で連結された文字列を含む
ことを特徴とする端末連携方法。
【請求項７】
請求項１から請求項６のいずれか一に記載の端末連携方法であって，
前記第１の端末装置と前記携帯端末装置とは，
前記ペアリング情報保存処理において，
ネットワークで接続したサーバ装置に，自装置の前記ペアリング情報を送信し，
前記ペアリング情報取得処理において，前記サーバ装置から，自装置の前記ペアリング情報を取得する
ことを特徴とする端末連携方法。
【請求項８】
請求項１から請求項７のいずれか一に記載の端末連携方法であって，
前記第１の端末装置は，前記選択処理において，ペアリング済みの携帯端末装置が選択された場合には，エラー表示を行い，前記ペアリングを中断する
ことを特徴とする端末連携方法。
【請求項９】
請求項１から請求項８のいずれか一に記載の端末連携方法であって，
前記携帯端末装置は，前記ペアリング要求を受信したら後，または，前記接続要求を受信した後，前記利用者に確認を求めるか，または，前記利用者に秘密情報の入力を要求する
ことを特徴とする端末連携方法。
【請求項１０】
請求項１から請求項９いずれか一に記載の端末連携方法であって，
前記携帯端末装置は，前記第１の端末装置との前記ペアリング，または，接続処理が完了した後は，前記検索要求に対して，応答しない
ことを特徴とする端末連携方法。
【請求項１１】
請求項１から請求項１０のいずれか一に記載の端末連携方法であって，
前記携帯端末装置は，前記携帯端末情報と前記センサ情報を送信する際に，当該携帯端末装置を振動させる
ことを特徴とする端末連携方法。
【請求項１２】
端末装置と携帯端末装置とが無線通信を介して接続されるシステムであって，
端末装置は，
無線通信を介して，前記携帯端末装置とデータの送受信を行う通信部と，
検索された前記携帯端末装置の情報を表示する表示部と，
前記携帯端末装置と共有鍵を共有するペアリングを行うペアリング処理部と，
前記ペアリング後に，前記共有鍵を用いて再接続を行う接続処理部と，
前記ペアリング処理部と前記接続処理部で使用するペアリング情報を保存するペアリング情報保存部と，を有し，
携帯端末装置は，
無線通信を介して，前記端末装置とデータの送受信を行う通信部と，
前記端末装置とペアリングを行うペアリング処理部と，
前記ペアリング後に，前記共有鍵を用いて再接続を行う接続処理部と，
前記ペアリング処理部と前記接続処理部で使用するペアリング情報を保存するペアリング情報保存部と，
センサ装置からセンサ情報を取得するセンサ処理部と，を有する
ことを特徴とする端末連携システム。
【請求項１３】
請求項１２に記載の端末連携システムであって，
サーバ装置を備え，
前記サーバ装置は，
ネットワークを介して，前記端末装置および前記携帯端末装置と通信を行う通信部と，
前記端末装置と前記携帯端末装置とのペアリングによって生成された前記ペアリング情報を，前記端末装置と前記携帯端末装置から受信し，保存するペアリング情報保存部と，
前記端末装置および前記携帯端末装置との要求により，保存している前記ペアリング情報を取得し，前記端末装置および前記携帯端末装置へ送信するペアリング情報配信部と，を有する
ことを特徴とする端末連携システム。
【発明の詳細な説明】
【技術分野】
【０００１】
本発明は，端末装置と携帯端末装置を連携させる端末連携システムに関する。
【背景技術】
【０００２】
近年，様々な機器がネットワーク機能を有するようになり，機器同士が連携してサービスを受けることが多くなっている。例えばBluetooth(登録商標)機器同士の連携や，端末とWi-Fiルータの接続，ゲーム機器同士の連携などが行われている。端末を連携しようとする場合に，端末同士のペアを作る必要がある。以降，端末同士で互いを認識し，通信に利用する鍵を共有することをペアリングと呼ぶ。
【０００３】
携帯端末装置を用いて他の端末装置に認識させる技術として，携帯端末装置を振ることで信号を発信して，他の端末（無線基地局）に認識させ，信号を発信している携帯端末装置が複数あった場合には，あらかじめ決められた距離以内に早く近づいた携帯端末装置に優先権が与えられる方法が知られている（例えば特許文献１（請求項１））。また，携帯端末装置を2台重ね合わせて同時に振ることで相手を特定する方法が知られている（例えば特許文献２（請求項１））。
【先行技術文献】
【特許文献】
【０００４】
【特許文献１】特開2008-311889号公報
【特許文献２】特開2010-21810号公報
【発明の概要】
【発明が解決しようとする課題】
【０００５】
利用者が共有で利用できる端末装置が複数台設置されている部屋で，携帯端末装置を持った利用者が複数人居るような状況で，設置されている端末装置と利用者が所有する携帯端末装置のペアリングを用意に行いたいという要求は強い。
【０００６】
特許文献１では，複数の携帯端末装置が１つのシステムへ接続する方法を開示している。特許文献２では，振ることができる携帯端末装置同士のペアを作る方法を開示している。
【０００７】
従来技術では，端末装置は，近距離無線が届く範囲に居る携帯端末装置を検索するが，検索可能範囲に複数の携帯端末装置が存在する場合には，検索結果が複数になり，どの携帯端末装置とペアリングを行うべきかの選択が容易でなくなる。
【０００８】
従来技術には，複数の端末装置と複数の携帯端末装置のペアを容易に作成する方法は開示されていない。
【課題を解決するための手段】
【０００９】
本発明は，上記事情に鑑みてなされたものであり，携帯端末装置の現在の各種センサの状態を，携帯端末装置名の情報に含めて，端末装置からの検索対象とする技術を提供する。
【００１０】
具体的に開示する態様の一つは，複数の端末装置と複数の携帯端末装置の中から一組の端末装置と携帯端末装置のペアを確立し，確立したペアの端末装置と携帯端末装置の間でデータを送受信する端末連携システムであって，
当該端末連携システムにおいて，端末装置と携帯端末装置は，
共有鍵を共有するペアリングを行い，
該共有鍵を使って，端末装置のＯＳへのログインを実行し，その後，端末装置と携帯端末装置の接続の切断と，端末装置のＯＳのログアウト処理と，を行い，
一度以上ペアリングを行った一組の端末装置と携帯端末装置の間で再接続を行い，
一度ペアリングを行った実績のある端末装置と携帯端末装置の間でデータを送受信する場合には，ペアリングで共有した共有鍵を使って，その後，端末装置と携帯端末装置の接続と，端末装置のＯＳのログアウト処理と，を行い，
一度ペアリングを行った実績のある端末装置と携帯端末装置の実績を消去する場合には，共有鍵の破棄を行うことを特徴とする。
【００１１】
上記端末連携システムは，より具体的には，ペアリングにおいて，
第１の端末装置は，検索要求を複数の携帯端末装置に送信し，
検索要求を受け取った各々の携帯端末装置は，
センサ情報取得処理を行い，
自携帯端末情報とセンサ情報を第１の端末装置に送信し，
第１の端末装置は，
複数の携帯端末装置の携帯端末情報とセンサ情報を表示し，
利用者による，表示された情報に基づく，携帯端末装置の選択処理を受け付け，
選択処理が行われない場合には，前述の携帯端末装置検索処理に戻り，
選択処理が行われた場合には，選択された携帯端末装置とのペアリングを実行し，
選択された携帯端末装置に対して，ペアリング要求を送信し，
選択された携帯端末装置は，
受信したペアリング要求に基づくペアリングを実行し，
生成したペアリング情報を，自携帯端末装置に保存し，
第１の端末装置に対して，生成したペアリング情報を返信し，
第１の端末装置は，
送信されたペアリング情報を保存し，
第１の端末装置と選択された携帯端末装置とは，データ送受信を行うように構成しても良い。
【００１２】
さらに，端末連携システムは，
一度以上ペアリングを行った第１の端末装置と携帯端末装置の間での再接続処理において，
第１の端末装置は，センサ要求情報を表示し，
携帯端末装置は，
第１の端末装置に表示されたセンサ要求情報に従った，利用者の操作に基づくセンサ情報を取得し，
自携帯端末情報とセンサ情報を第１の端末装置に送信し，
第１の端末装置は，
表示したセンサ要求情報と，携帯端末装置から受信したセンサ情報とを比較し，
比較の結果一致しない場合には，センサ要求情報表示処理から繰り返し，
比較の結果一致した場合には，保存しているペアリング情報を取得し，接続先を携帯端末装置と決定し，
接続要求を携帯端末装置に送信し，
携帯端末装置は，
保存しているペアリング情報を取得し，
接続応答を第１の端末装置に送信し，
第１の端末装置と携帯端末装置とは，データ送受信を行うように構成しても良い。
【００１３】
さらに，端末連携システムは，
ネットワークで接続したサーバ装置を備え，
第１の端末装置と携帯端末装置とは，
ペアリング情報保存処理において，サーバ装置に，自装置のペアリング情報を送信し，  ペアリング情報取得処理において，サーバ装置から，自装置のペアリング情報を取得するように構成しても良い。
【００１４】
なお，端末連携システムにおいて，
端末装置は，
無線通信を介して，携帯端末装置とデータの送受信を行う通信部と，
検索された携帯端末装置の情報を表示する表示部と，
携帯端末装置と共有鍵を共有するペアリングを行うペアリング処理部と，
ペアリング後に，共有鍵を用いて再接続を行う接続処理部と，
ペアリング処理部と接続処理部で使用するペアリング情報を保存するペアリング情報保存部と，を有し，
携帯端末装置は，
無線通信を介して，端末装置とデータの送受信を行う通信部と，
端末装置とペアリングを行うペアリング処理部と，
ペアリング後に，共有鍵を用いて再接続を行う接続処理部と，
ペアリング処理部と接続処理部で使用するペアリング情報を保存するペアリング情報保存部と，
センサ装置からセンサ情報を取得するセンサ処理部と，を有するように構成しても良い。
【００１５】
さらに，端末連携システムのサーバ装置は，
ネットワークを介して，端末装置および携帯端末装置と通信を行う通信部と，
端末装置と携帯端末装置とのペアリングによって生成されたペアリング情報を，端末装置と携帯端末装置から受信し，保存するペアリング情報保存部と，
端末装置および携帯端末装置との要求により，保存しているペアリング情報を取得し，端末装置および携帯端末装置へ送信するペアリング情報配信部と，を有するように構成しても良い。
【発明の効果】
【００１６】
開示によれば，複数の端末装置と複数の携帯端末装置が近距離に存在するような状況でも，複数の端末装置と複数の携帯端末装置のペアを容易に作成することが可能になる。
【図面の簡単な説明】
【００１７】
【図１】端末連携システムの端末装置と携帯端末装置の例示である。
【図２】実施例１の端末連携システムの構成図である。
【図３】端末装置，携帯端末装置，サーバ装置のハードウェア構成図である。
【図４】端末連携システムの全体フロー図である。
【図５】ペアリングの際に1台の携帯端末装置が検索されるフロー図である。
【図６】ペアリングの際に複数台の携帯端末装置が検索されるフロー図である。
【図７】再接続の際に1台の携帯端末装置が検索されるフロー図である。
【図８】再接続の際に複数台の携帯端末装置が検索されるフロー図である。
【図９】センサ要求情報の表示の例示である。
【図１０】センサ情報のデータ構造の例示である。
【図１１】携帯端末装置の検索結果の表示画面の例示である。
【図１２】実施例２の端末連携システムの構成図である。
【発明を実施するための形態】
【００１８】
本発明の実施形態について説明する。なお，これにより本発明が限定されるものではない。
【実施例１】
【００１９】
図１は，端末連携システムの端末装置と携帯端末装置の例示である。本実施例の端末連携システムは，図１に示すように，複数の端末装置１０と複数の携帯端末装置２０とが近距離無線通信を介して接続される。複数の端末装置１０と複数の携帯端末装置２０の中から１つの端末装置１０と携帯端末装置２０がペアを確立することで，以降のデータ送受信を行う。
【００２０】
図２は，本実施例の端末連携システムの構成図である。本実施例の端末連携システムは，図２に示すように，端末装置１０と携帯端末装置２０とが近距離無線通信８０を介して接続される。 
端末装置１０は，近距離無線通信８０を介して，前記携帯端末装置２０とデータの送受信を行う通信部１０１と，検索された前記携帯端末装置２０の情報を表示する表示部１０２と，前記携帯端末装置２０とペアを確立しデータの送受信時に使用する鍵を共有する（以降ペアリングと呼ぶ）ペアリング処理部１０４と，ペアリング後に既に共有されている鍵を使って再接続を行う接続処理部１０３と，前記ペアリング処理部１０４と前記接続処理部１０３で使用する接続相手先のアドレスや共有鍵などのペアリング情報を保管するペアリング情報保管部１０５と，を含む。
【００２１】
携帯端末装置２０は，近距離無線通信８０を介して，前記端末装置１０とデータの送受信を行う通信部２０１と，前記端末装置１０とペアリングを行うペアリング処理部２０４と，ペアリング後に既に共有されている鍵を使って再接続を行う接続処理部２０３と，前記ペアリング処理部２０４と前記接続処理部２０３で使用する接続相手先のアドレスや共有鍵などのペアリング情報を保管するペアリング情報保管部２０５と，センサ装置１３からセンサの情報を取得し，前記端末装置１０へ通知するセンサ情報に変換する処理を行うセンサ処理部２０６と，を含む。
【００２２】
図３は，携帯端末装置２０のハードウェア構成図である。ＣＰＵ１１，主記憶装置１２，センサ装置１３，補助記憶装置１４，近距離無線通信を行う通信装置１５１，ネットワーク９０に接続する通信装置１５２，入出力装置１６，記憶媒体１８の読取装置１７などがバスなどの内部通信線１９で接続された構成である。
【００２３】
図示を省略するが，端末装置１０とサーバ装置３０は，規模や性能の違いは有るが，携帯端末装置２０と同様のハードウェア構成である。なお，端末装置１０とサーバ装置３０の場合は，センサ装置１３は不要である。
【００２４】
本実施例の連携処理について説明する。各装置の補助記憶装置１４に格納された処理プログラムが主記憶装置１２にロードされ，ＣＰＵにより実行されることにより，各処理部の処理が実行される。また，各プログラムは予め補助記憶装置１４に格納されても良いし，他の記憶媒体または通信媒体（ネットワーク，またはネットワークを伝搬する搬送波またはディジタル信号）を介して，必要なときにロードされても良い。
【００２５】
図４は，端末連携システムの全体フロー図である。
【００２６】
まず，端末装置１０と携帯端末装置２０は，ペアリング処理を行う（ＳＳ１０１）。ペアリング処理の結果，共有鍵を生成し鍵を共有する（ＳＳ１０２１，ＳＳ１０２２）。その後，共有鍵を使って端末装置１０のＯＳへのログイン情報を携帯端末装置２０から端末装置１０へ送信し（ＳＳ１０３），端末装置１０のＯＳへのログインを実行する（ＳＳ１０４１）。その後，任意のデータの送受信を行う（ＳＳ１０５）。その後，端末装置１０と携帯端末装置２０の接続の切断を行う（ＳＳ１０６）。端末装置１０と携帯端末装置２０の接続が切断されると，端末装置１０のＯＳのログアウト処理を行う（ＳＳ１０７１）。
【００２７】
一度ペアリングを行った実績のある端末装置１０と携帯端末装置２０の組み合わせの場合には，次は，再接続処理を行う（ＳＳ１０８）。その後，前記鍵共有処理（ＳＳ１０２１，ＳＳ１０２２）で共有した共有鍵を使って端末装置１０のＯＳへのログイン情報を携帯端末装置２０から端末装置１０へ送信し（ＳＳ１０３），端末装置１０のＯＳへのログインを実行する（ＳＳ１０４１）。その後，任意のデータの送受信を行う（ＳＳ１１０）。その後，端末装置１０と携帯端末装置２０の接続の切断を行う（ＳＳ１１１）。端末装置１０と携帯端末装置２０の接続が切断されると，端末装置１０のＯＳのログアウト処理を行う（ＳＳ１０７１）。
【００２８】
一度ペアリングを行った実績のある端末装置１０と携帯端末装置２０の実績を消去する場合には，ペアリング解除処理（ＳＳ１１２）を行い，共有鍵の破棄（ＳＳ１１３１，ＳＳ１１３２）を行う。
【００２９】
図５は，複数の端末装置１０と複数の携帯端末装置２０がペアリングを行う際のフロー図である。図５は，ペアリングの際に端末装置１０からの検索要求に対して，1台の携帯端末装置２０が応答する場合のフロー図である。
【００３０】
まず，端末装置１０1は，携帯端末装置２０の検索要求を行う（Ｓ１０１１）。検索要求Ａ１０１１を複数の携帯端末装置２０1〜携帯端末装置２０mに送信する。検索要求Ａ１０１１を受け取った携帯端末装置２０1は，センサ情報取得処理を行い（Ｓ２０１１），自端末の端末情報Ａ２０１１と前記ステップＳ２０１１で取得したセンサ情報Ａ２０１２を前記端末装置１０1に送信する。携帯端末装置２０1以外の携帯端末装置２０mも端末情報Ａ２０ｍ１とセンサ情報Ａ２０ｍ０を前記端末装置１０1に送信する。ただし，携帯端末装置２０mはセンサ情報を取得していないので，センサ情報Ａ２０ｍ０は空である。端末装置１０1の表示部１０２は，携帯端末装置２０の検索結果を表示する。このときに，携帯端末装置２０から送信された端末情報Ａ２０１１にセンサ情報Ａ２０１２を含めて表示する。センサ情報Ａ２０１２が振動中を表す情報であれば，端末装置１０1の表示部１０２に端末情報Ａ２０１１を振動させて表示しても良い。次に，センサ情報Ａ２０１２とともに表示された端末情報Ａ２０１１を選択する（Ｓ１０１３）。ここで，選択処理が行われない場合には，前述の携帯端末装置検索処理（Ｓ１０１１）に戻る。前述のペアリング端末選択処理（Ｓ１０１３）でペアリングを行うべき携帯端末装置２０1が選択された場合には，端末装置１０1のペアリング処理部１０４でペアリング処理を実行し（Ｓ１０１５），選択された携帯端末装置２０1に対して，ペアリング要求Ａ１０１２を送信する。携帯端末装置２０1のペアリング処理部２０４でペアリング処理を実行し（Ｓ２０１２），ペアリング情報を生成し，携帯端末装置２０1のペアリング情報保管部２０５に保管する（Ｓ２０１３）。その後，前記端末装置１０1に対して，生成したペアリング情報を含んだペアリング応答Ａ２０１３を返信する。端末装置１０1は，ペアリング情報保管部１０５に，受信したペアリング応答Ａ２０１３に含まれるペアリング情報を保管する（Ｓ１０１６）。その後，端末装置１０1と携帯端末装置２０1とで任意のデータＡ２０１４の送受信を行う。
【００３１】
つぎに，端末装置１０nは，携帯端末装置２０の検索要求を行う（Ｓ１０ｎ１）。検索要求Ａ１０ｎ１を複数の携帯端末装置２０1〜携帯端末装置２０mに送信する。検索要求Ａ１０ｎ１を受け取った携帯端末装置２０mは，センサ情報取得処理を行い（Ｓ２０ｍ１），自端末の端末情報Ａ２０ｍ１と前記ステップＳ２０ｍ１で取得したセンサ情報Ａ２０ｍ２を前記端末装置１０nに送信する。携帯端末装置２０m以外の携帯端末装置２０1も端末情報Ａ２０１１とセンサ情報Ａ２０１０を前記端末装置１０nに送信する。ただし，携帯端末装置２０1はセンサ情報を取得していないので，センサ情報Ａ２０１０は空である。端末装置１０nの表示部１０２は，携帯端末装置２０の検索結果を表示する。このときに，携帯端末装置２０から送信された端末情報Ａ２０ｍ１にセンサ情報Ａ２０ｍ２を含めて表示する。センサ情報Ａ２０ｍ２が振動中を表す情報であれば，端末装置１０nの表示部１０２に端末情報Ａ２０ｍ１を振動させて表示しても良い。次に，センサ情報Ａ２０ｍ２とともに表示された端末情報Ａ２０ｍ１を選択する（Ｓ１０ｎ３）。ここで，選択処理が行われない場合には，前述の携帯端末装置検索処理（Ｓ１０ｎ１）に戻る。前述のペアリング端末選択処理（Ｓ１０ｎ３）でペアリングを行うべき携帯端末装置２０mが選択された場合には，端末装置１０nのペアリング処理部１０４でペアリング処理を実行し（Ｓ１０ｎ５），選択された携帯端末装置２０mに対して，ペアリング要求Ａ１０ｎ２を送信する。携帯端末装置２０mのペアリング処理部２０４でペアリング処理を実行し（Ｓ２０ｍ２），ペアリング情報を生成し，携帯端末装置２０mのペアリング情報保管部２０５に保管する（Ｓ２０ｍ３）。その後，前記端末装置１０nに対して，生成したペアリング情報を含んだペアリング応答Ａ２０ｍ３を返信する。端末装置１０nは，ペアリング情報保管部１０５に，受信したペアリング応答Ａ２０ｍ３に含まれるペアリング情報を保管する（Ｓ１０ｎ６）。その後，端末装置１０nと携帯端末装置２０mとで任意のデータＡ２０ｎ３の送受信を行う。
【００３２】
図６は，複数の端末装置１０と複数の携帯端末装置２０がペアリングを行う際のフロー図である。図６と図５の違いは，図６は，ペアリングの際に端末装置１０からの検索要求に対して，複数台の携帯端末装置２０が応答する場合のフロー図である。
【００３３】
まず，端末装置１０1は，携帯端末装置２０の検索要求を行う（Ｓ１０１１）。検索要求Ａ１０１１を複数の携帯端末装置２０1〜携帯端末装置２０mに送信する。つぎに，端末装置１０nは，携帯端末装置２０の検索要求を行う（Ｓ１０ｎ１）。検索要求Ａ１０ｎ１を複数の携帯端末装置２０1〜携帯端末装置２０mに送信する。
【００３４】
検索要求Ａ１０１１と検索要求Ａ１０ｎ１とを受け取った携帯端末装置２０1は，センサ情報取得処理を行い（Ｓ２０１１），自端末の端末情報Ａ２０１１と前記ステップＳ２０１１で取得したセンサ情報Ａ２０１２を前記端末装置１０1と前記端末装置１０nに送信する。また，検索要求Ａ１０１１と検索要求Ａ１０ｎ１とを受け取った携帯端末装置２０mは，センサ情報取得処理を行い（Ｓ２０ｍ１），自端末の端末情報Ａ２０ｍ１と前記ステップＳ２０ｍ１で取得したセンサ情報Ａ２０ｍ２を前記端末装置１０1と前記端末装置１０nに送信する。
【００３５】
端末装置１０1の表示部１０２は，携帯端末装置２０の検索結果を表示する。このときに，携帯端末装置２０1から送信された端末情報Ａ２０１１にセンサ情報Ａ２０１２を含めて表示する。また，携帯端末装置２０mから送信された端末情報Ａ２０ｍ１にセンサ情報Ａ２０ｍ２を含めて表示する（Ｓ１０１２）。
【００３６】
次に，センサ情報Ａ２０１２とともに表示された端末情報Ａ２０１１を選択する（Ｓ１０１３）。ここで，選択処理が行われない場合には，前述の携帯端末装置検索処理（Ｓ１０１１）に戻る。前述のペアリング端末選択処理（Ｓ１０１３）でペアリングを行うべき携帯端末装置２０1が選択された場合には，端末装置１０1のペアリング処理部１０４でペアリング処理を実行し（Ｓ１０１５），選択された携帯端末装置２０1に対して，ペアリング要求Ａ１０１２を送信する。携帯端末装置２０1のペアリング処理部２０４でペアリング処理を実行し（Ｓ２０１２），ペアリング情報を携帯端末装置２０1のペアリング情報保管部２０５に保管する（Ｓ２０１３）。その後，前記端末装置１０1に対して，生成したペアリング情報を含んだペアリング応答Ａ２０１３を返信する。端末装置１０1は，ペアリング情報保管部１０５に，受信したペアリング応答Ａ２０１３に含まれるペアリング情報を保管する（Ｓ１０１６）。その後，端末装置１０1と携帯端末装置２０1とで任意のデータＡ２０１４の送受信を行う。
【００３７】
端末装置１０nの表示部１０２は，携帯端末装置２０の検索結果を表示する。このときに，携帯端末装置２０から送信された端末情報Ａ２０ｍ１にセンサ情報Ａ２０ｍ２を含めて表示する。また，携帯端末装置２０1から送信された端末情報Ａ２０１１にセンサ情報Ａ２０１２を含めて表示する。
【００３８】
次に，センサ情報Ａ２０ｍ２とともに表示された端末情報Ａ２０ｍ１を選択する（Ｓ１０ｎ３）。ここで，選択処理が行われない場合には，前述の携帯端末装置検索処理（Ｓ１０ｎ１）に戻る。前述のペアリング端末選択処理（Ｓ１０ｎ３）でペアリングを行うべき携帯端末装置２０mが選択された場合には，端末装置１０nのペアリング処理部１０４でペアリング処理を実行し（Ｓ１０ｎ５），選択された携帯端末装置２０mに対して，ペアリング要求Ａ１０ｎ２を送信する。携帯端末装置２０mのペアリング処理部２０４でペアリング処理を実行し（Ｓ２０ｍ２），ペアリング情報を携帯端末装置２０mのペアリング情報保管部２０５に保管する（Ｓ２０ｍ３）。その後，前記端末装置１０nに対して，生成したペアリング情報を含んだペアリング応答Ａ２０ｍ３を返信する。端末装置１０nは，ペアリング情報保管部１０５に，受信したペアリング応答Ａ２０ｍ３に含まれるペアリング情報を保管する（Ｓ１０ｎ６）。その後，端末装置１０nと携帯端末装置２０mとで任意のデータＡ２０ｎ３の送受信を行う。
【００３９】
図７は，複数の端末装置１０と複数の携帯端末装置２０が再接続を行う際のフロー図である。図７は，再接続の際に端末装置１０からの検索要求に対して，1台の携帯端末装置２０が応答する場合のフロー図である。
【００４０】
まず，端末装置１０1は，センサ要求情報を表示する（Ｓ１０１１２）。端末装置１０nも，センサ要求情報を表示する（Ｓ１０ｎ１２）。携帯端末装置２０1は，端末装置１０1に表示されたセンサ要求情報に従ったセンサ情報を取得する（Ｓ２０１６）。
【００４１】
携帯端末装置２０1は，自端末の端末情報Ａ２０１１と前記ステップＳ２０１６で取得したセンサ情報Ａ２０１２を前記端末装置１０1に送信する。また，携帯端末装置２０1は，自端末の端末情報Ａ２０１１と前記ステップＳ２０１６で取得したセンサ情報Ａ２０１２を前記端末装置１０nに送信する。
【００４２】
端末装置１０1は，前記ステップＳ１０１１２で自身で表示したセンサ要求情報と，前記携帯端末装置２０1から受信したセンサ情報Ａ２０１２を比較する（Ｓ１０１７）。比較の結果一致しない場合には，前記センサ要求情報表示ステップＳ１０１１２から繰り返す。比較の結果一致した場合には，前記ペアリング情報保存処理（Ｓ１０１６）で保存したペアリング情報を取得し（Ｓ１０１９），接続先を決定する（Ｓ１０１１０）。端末装置１０1の接続処理部１０３は，接続処理を行い（Ｓ１０１１１），接続要求Ａ１０１６を前記携帯端末装置２０1に送信する。携帯端末装置２０1の接続処理部２０３は，ペアリング情報保管部２０５からペアリング情報を取得し（Ｓ２０１７），接続処理を行い（Ｓ２０１８），接続応答Ａ２０１８を前記端末装置１０1に送信する。その後，端末装置１０1と携帯端末装置２０1との間で任意のデータＡ１０１４の送受信を行う。
【００４３】
携帯端末装置２０mは，端末装置１０nに表示されたセンサ要求情報に従ったセンサ情報を取得する（Ｓ２０ｍ６）。
【００４４】
携帯端末装置２０mは，自端末の端末情報Ａ２０ｍ１と前記ステップＳ２０ｎ６で取得したセンサ情報Ａ２０ｍ２を前記端末装置１０1に送信する。また，携帯端末装置２０mは，自端末の端末情報Ａ２０ｍ１と前記ステップＳ２０ｍ６で取得したセンサ情報Ａ２０ｍ２を前記端末装置１０nに送信する。
【００４５】
端末装置１０nは，前記ステップＳ１０ｎ１２で自身で表示したセンサ要求情報と，前記携帯端末装置２０mから受信したセンサ情報Ａ２０ｍ２を比較する（Ｓ１０ｎ７）。比較の結果一致しない場合には，前記センサ要求情報表示ステップＳ１０ｎ１２から繰り返す。比較の結果一致した場合には，前記ペアリング情報保存処理（Ｓ１０ｎ６）で保存したペアリング情報を取得し（Ｓ１０ｎ９），接続先を決定する（Ｓ１０ｎ１０）。端末装置１０nの接続処理部１０３は，接続処理を行い（Ｓ１０ｎ１１），接続要求Ａ１０ｎ６を前記携帯端末装置２０mに送信する。携帯端末装置２０mの接続処理部２０３は，ペアリング情報保管部２０５からペアリング情報を取得し（Ｓ２０ｍ７），接続処理を行い（Ｓ２０ｍ８），接続応答Ａ２０ｍ８を前記端末装置１０nに送信する。その後，端末装置１０nと携帯端末装置２０mとの間で任意のデータＡ１０ｎ３の送受信を行う。
【００４６】
図８は，複数の端末装置１０と複数の携帯端末装置２０が再接続を行う際のフロー図である。図８と図７の違いは，図８は，再接続の際に端末装置１０からの検索要求に対して，複数台の携帯端末装置２０が応答する場合のフロー図である。
【００４７】
まず，端末装置１０1は，センサ要求情報を表示する（Ｓ１０１１２）。端末装置１０nも，センサ要求情報を表示する（Ｓ１０ｎ１２）。
【００４８】
携帯端末装置２０1は，端末装置１０1に表示されたセンサ要求情報に従ったセンサ情報を取得する（Ｓ２０１６）。携帯端末装置２０1は，自端末の端末情報Ａ２０１１と前記ステップＳ２０１６で取得したセンサ情報Ａ２０１２を前記端末装置１０1に送信する。また，携帯端末装置２０1は，自端末の端末情報Ａ２０１１と前記ステップＳ２０１６で取得したセンサ情報Ａ２０１２を前記端末装置１０nに送信する。
【００４９】
携帯端末装置２０mは，端末装置１０nに表示されたセンサ要求情報に従ったセンサ情報を取得する（Ｓ２０ｍ６）。携帯端末装置２０mは，自端末の端末情報Ａ２０ｍ１と前記ステップＳ２０ｎ６で取得したセンサ情報Ａ２０ｍ２を前記端末装置１０1に送信する。また，携帯端末装置２０mは，自端末の端末情報Ａ２０ｍ１と前記ステップＳ２０ｍ６で取得したセンサ情報Ａ２０ｍ２を前記端末装置１０nに送信する。
【００５０】
端末装置１０1は，前記ステップＳ１０１１２で自身で表示したセンサ要求情報と，前記携帯端末装置２０1から受信したセンサ情報Ａ２０１２を比較する（Ｓ１０１７）。比較の結果一致しない場合には，前記センサ要求情報表示ステップＳ１０１１２から繰り返す。比較の結果一致した場合には，前記ペアリング情報保存処理（Ｓ１０１６）で保存したペアリング情報を取得し（Ｓ１０１９），接続先を決定する（Ｓ１０１１０）。端末装置１０1の接続処理部１０３は，接続処理を行い（Ｓ１０１１１），接続要求Ａ１０１６を前記携帯端末装置２０1に送信する。携帯端末装置２０1の接続処理部２０３は，ペアリング情報保管部２０５からペアリング情報を取得し（Ｓ２０１７），接続処理を行い（Ｓ２０１８），接続応答Ａ２０１８を前記端末装置１０1に送信する。その後，端末装置１０1と携帯端末装置２０1との間で任意のデータＡ１０１４の送受信を行う。
【００５１】
端末装置１０nは，前記ステップＳ１０ｎ１２で自身で表示したセンサ要求情報と，前記携帯端末装置２０mから受信したセンサ情報Ａ２０ｍ２を比較する（Ｓ１０ｎ７）。比較の結果一致しない場合には，前記センサ要求情報表示ステップＳ１０ｎ１２から繰り返す。比較の結果一致した場合には，前記ペアリング情報保存処理（Ｓ１０ｎ６）で保存したペアリング情報を取得し（Ｓ１０ｎ９），接続先を決定する（Ｓ１０ｎ１０）。端末装置１０nの接続処理部１０３は，接続処理を行い（Ｓ１０ｎ１１），接続要求Ａ１０ｎ６を前記携帯端末装置２０mに送信する。携帯端末装置２０mの接続処理部２０３は，ペアリング情報保管部２０５からペアリング情報を取得し（Ｓ２０ｍ７），接続処理を行い（Ｓ２０ｍ８），接続応答Ａ２０ｍ８を前記端末装置１０nに送信する。その後，端末装置１０nと携帯端末装置２０mとの間で任意のデータＡ１０ｎ３の送受信を行う。
【００５２】
図９は，図７と図８におけるセンサ要求情報の表示の例示である。
【００５３】
例えば，端末装置１０の表示部に，例１に示すように，携帯端末装置２０の振動のさせ方を文字で表しても良い。また，例２のように携帯端末装置２０の向きを決められた方向に傾けるように表示しても良い。
【００５４】
なお，センサ要求情報は，これにとらわれることなく。加速度センサ，マイク（声），カメラ（写真），GPS（位置）などのセンサ情報を要求してもよい。三角や丸などの図形を描かせても良い。キーボードやタッチパッドからの入力を要求してもよい。
【００５５】
図１０は，端末情報とセンサ情報のデータ構造の例示である。図に示すように，携帯端末装置２０から端末装置１０に送信される端末情報とセンサ情報は，端末名と文字列に変換したセンサ情報をセミコロンなどで区切ったデータ構造とする。これにより，全てを文字列として扱えるため，既存の通信仕様にそのまま適用可能となる。
【００５６】
図１１は，携帯端末装置２０を検索した後の端末装置１０の表示画面の例示である。検索された携帯端末装置２０の端末情報をアイコンとして表示しても良いし，表形式で表示しても良い。また，携帯端末装置２０のセンサ情報が，振動していることを表しているような状況では，端末装置１０の表示部１０２に表示した，対応する携帯端末装置のアイコンを振動させても良い。
【実施例２】
【００５７】
図１２は，実施例２の端末連携システムの構成図である。本実施例の端末連携システムは，図１２に示すように，端末装置１０と携帯端末装置２０とが近距離無線通信８０を介して接続される。また，端末装置１０と携帯端末装置２０は，ネットワーク９０を介して，サーバ装置３０に接続される。
【００５８】
サーバ装置３０は，ネットワーク９０を介して，前記端末装置１０および前記携帯端末装置２０とデータの送受信を行う通信部３０１と，前記端末装置１０と前記携帯端末装置２０がペアリングを行った後のペアリング情報を保管するペアリング情報保管部３０３と，前記端末装置１０および前記携帯端末装置２０との要求により，ペアリング情報を送信するペアリング情報配信部３０２と，を含む。
【００５９】
端末装置１０と，携帯端末装置２０の構成は，実施例１と同様である。
【００６０】
実施例１では，図５および図６に示したペアリング情報保存処理（Ｓ１０１６，Ｓ１０ｎ６，Ｓ２０１３，Ｓ２０ｍ３）は，自身のペアリング情報保管部（１０５，２０５）にペアリング情報を保管していたが，実施例２では，その代わりにネットワーク９０で接続したサーバ装置のペアリング情報保管部３０３にペアリング情報を保管する。
【００６１】
また，実施例１の，図７および図８に示したペアリング情報取得処理（Ｓ１０１９，Ｓ１０ｎ９，Ｓ２０１７，Ｓ２０ｍ７）は，自身のペアリング情報保管部（１０５，２０５）からペアリング情報を取得していたが，実施例２では，その代わりにネットワーク９０で接続したサーバ装置のペアリング情報保管部３０３からペアリング情報を取得する。
【００６２】
また，図５および図６のペアリング端末選択処理（Ｓ１０１３）において，すでにペアリング済みの携帯端末装置が選択された場合には，エラー表示を行いペアリング処理を中断しても良い。
【００６３】
また，図５および図６の携帯端末装置側のペアリング処理（Ｓ２０１２）の直前に，携帯端末装置２０の利用者に確認を求めても良い。または，利用者にパスワード等の秘密情報の入力を要求し，確認処理を行っても良い。
【００６４】
また，図７および図８の携帯端末装置側の接続処理（Ｓ２０１７）の直前に，携帯端末装置２０の利用者に確認を求めても良い。または，利用者にパスワード等の秘密情報の入力を要求し，確認処理を行っても良い。
【００６５】
また，図５および図６において，携帯端末装置２０は，端末装置１０からの検索要求に対して，端末情報とセンサ情報を送信しているが，携帯端末装置のペアリング処理（Ｓ２０１２，２０ｍ２）以降は，端末装置１０からの検索要求には返信しないようにしても良い。また，携帯端末装置２０を振動させた後に，端末装置１０からの検索要求に返信するようにしても良い。
【００６６】
また，図７および図８において，携帯端末装置２０は，センサ情報を取得して（Ｓ２０１６，Ｓ２０ｍ６），端末情報とセンサ情報を端末装置１０に送信しているが，携帯端末装置の接続処理（Ｓ２０１８，Ｓ２０ｍ８）以降は，端末装置１０に，端末情報とセンサ情報を送信しないようにしても良い。また，携帯端末装置２０を振動させた後に，端末装置１０に，端末情報とセンサ情報を送信するようにしても良い。
【００６７】
なお，本発明は，上記の本実施形態に限定されるものではなく，その要旨の範囲内で様々な変形が可能である。
【符号の説明】
【００６８】
１０：端末装置，１１：ＣＰＵ，１２：主記憶装置，１３：センサ装置，１４：補助記憶装置，１５１：通信装置，１５２：通信装置，１６：入出力装置，１７：読取装置，１８：記憶媒体，１９：内部信号線，１０１：通信部，１０２：表示部，１０３：接続処理部，１０４：ペアリング処理部，１０５：ペアリング情報保管部，２０：携帯端末装置，２０１：通信部，２０３：接続処理部，２０４：ペアリング処理部，２０５：ペアリング情報保管部，２０６：センサ処理部，３０：サーバ装置，３０１：通信部，３０２：ペアリング情報配信部，３０３：ペアリング情報保管部，８０：近距離無線通信，９０：ネットワーク，Ａ１０１１：検索要求，Ａ１０１２：ペアリング要求，Ａ１０１６：接続要求，Ａ２０１０：センサ情報，Ａ２０１１：端末情報，Ａ２０１２：センサ情報，Ａ２０１３：ペアリング応答，Ａ２０１４：任意のデータ，Ａ２０１８：接続応答，Ａ１０ｎ１：検索要求，Ａ１０ｎ２：ペアリング要求，Ａ１０ｎ３：任意のデータ，Ａ１０ｎ６：接続要求，Ａ２０ｍ０：センサ情報，Ａ２０ｍ１：端末情報，Ａ２０ｍ２：センサ情報，Ａ２０ｍ３：ペアリング応答，Ａ２０ｍ８：接続応答
【図１】
2013214257.tif 000003
【図２】
2013214257.tif 000004
【図３】
2013214257.tif 000005
【図４】
2013214257.tif 000006
【図５】
2013214257.tif 000007
【図６】
2013214257.tif 000008
【図７】
2013214257.tif 000009
【図８】
2013214257.tif 000010
【図９】
2013214257.tif 000011
【図１０】
2013214257.tif 000012
【図１１】
2013214257.tif 000013
【図１２】
2013214257.tif 000014